(57)【要約】【課題】実際に記録された画像の内容をユーザに正しく認知させることで、撮り忘れや、撮り損ねを確実に防止する。【解決手段】被写体像を撮影する撮影レンズ光学系12、ＣＣＤ13を含む撮影系と、撮影系で得た画像データを記録するメモリカード29と、記録した画像データを表示する表示部26と、撮影系による撮影動作の終了を指示するキー入力部27（電源キー）と、指示に伴う撮影動作の終了に際し、それまでにメモリカード29に記録した画像データを読出して表示部26でレビュー表示させる制御部22とを備える。【選択図】      図１
2008092223.tif 000002
【特許請求の範囲】
【請求項１】
被写体像を撮影する撮影手段と、
この撮影手段で得た画像データを記録する記録手段と、
この記録手段に記録した画像データを表示する表示手段と、
電源の切断を指示する指示手段と、
この指示手段での指示に伴う撮影動作の終了に際し、それまでに上記記録手段に記録した画像データを上記表示手段でレビュー表示させる表示制御手段と
を具備したことを特徴とする撮像装置。
【請求項２】
上記表示制御手段は、今回の電源が投入されてから電源が切断されるまでの間に記録された画像データを上記表示手段でレビュー表示させることを特徴とする請求項１記載の撮像装置。
【請求項３】
上記表示制御手段は、今回の撮影モードに切り替えられてから電源が切断されるまでの間に記録された画像データを上記表示手段でレビュー表示させることを特徴とする請求項１記載の撮像装置。
【請求項４】
上記表示制御手段は、電源の切断が指示される以前にすでに確認済みの画像データに関しては、上記表示手段でのレビュー表示から除外することを特徴とする請求項１記載の撮像装置。
【請求項５】
上記撮影手段による撮影を開始してから上記指示手段で電源の切断が指示されるまでの間の撮影履歴情報を作成して保持する保持情報をさらに具備し、
上記表示制御手段は、上記記録手段に記録した画像データのうち、上記保持手段が保持する撮影履歴情報に対応した画像データのみを上記表示手段でレビュー表示させる
ことを特徴とする請求項１乃至３いずれかに記載の撮像装置。
【請求項６】
上記表示制御手段は、上記記録手段で記録した画像の選択を含む操作がない状態が一定時間経過した時点でレビュー表示を停止し、上記指示手段での指示に従って電源を切断させることを特徴とする請求項１乃至３いずれかに記載の撮像装置。
【請求項７】
上記撮影手段で撮影が指定された回数を記憶する記憶手段と、
上記記録手段で記録された画像データの数と上記記憶手段で記憶した撮影指定回数とを比較する比較手段とをさらに具備し、
上記表示制御手段は、上記比較手段により数値が一致しなかった場合に、画像データのレビュー表示に加えて、記録できなかった画像があることを警告表示する
ことを特徴とする請求項１乃至３いずれかに記載の撮像装置。
【請求項８】
上記撮影手段で撮影が指定された回数を記憶する記憶手段と、
上記記録手段で記録された画像データの数と上記記憶手段で記憶した撮影指定回数とを比較する比較手段とをさらに具備し、
上記表示制御手段は、上記比較手段により数値が一致していた場合は、上記表示制御手段による画像データのレビュー表示を抑制する
ことを特徴とする請求項１乃至３いずれかに記載の撮像装置。
【請求項９】
上記表示制御手段は、複数の画像を１枚ずつ順次切換えて表示することを特徴とする請求項１乃至３いずれかに記載の撮像装置。
【請求項１０】
上記表示制御手段は、複数の画像を所定数上記表示手段で画面を分割して一覧表示することを特徴とする請求項１乃至３いずれかに記載の撮像装置。
【請求項１１】
画像を撮影し、得た画像データを記録する撮像装置での撮像方法であって、
電源の切断を指示する指示工程と、
この指示工程での指示に伴う撮影動作の終了に際し、それまでに記録した画像データをレビュー表示させる表示制御工程と
を有したことを特徴とする撮像方法。
【請求項１２】
画像を撮影し、得た画像データを記録する撮像装置に内蔵されたコンピュータが実行するプログラムであって、
電源の切断を指示する指示ステップと、
この指示ステップでの指示に伴う撮影動作の終了に際し、それまでに記録した画像データをレビュー表示させる表示制御ステップと
をコンピュータに実行させることを特徴とするプログラム。
【発明の詳細な説明】
【技術分野】
【０００１】
本発明は、特にユーザの意図を反映した撮影を行なうデジタルカメラなどに好適な撮像装置、撮像方法及びプログラムに関する。
【背景技術】
【０００２】
従来より、撮影モードで取得した画像データの内容を確認するために、撮影動作直後の一定時間は記録した画像データを一時的にモニタ表示部に表示するようにした技術や、撮影モードから再生モードへと切り替えた際の画像の表示方法に工夫した技術が種々考えられている。
【０００３】
特許文献でも、デジタルカメラ等の撮影装置を再生モードに切り替えた際に、ユーザが閲覧を所望する画像を表示できるようにするべく、最後に取得した画像の撮影日時から現在までの経過時間を算出し、所定のしきい値との比較により、ＬＣＤに表示させる画像の形態を可変するようにした技術がある。（例えば、特許文献１）
【特許文献１】特開２００６−１７３８３３号公報
【発明の開示】
【発明が解決しようとする課題】
【０００４】
上記特許文献１に記載された技術を含め、撮影モード時から再生モード時に切り替えた状態では、同じさえ場所にいたままで記録した画像の内容を確認しようとするユーザの意志が働いている場合が多いものと推察できる。
【０００５】
そのため、例えば単純な撮り忘れであったり、撮影条件等の理由でシャッタボタンを操作したにも拘わらず実際の撮影動作には至らなかった場合など、記録されている画像の中にユーザの意図するような画像が含まれていない場合でも、その撮影場所で再度撮影モードを設定することで、新たにユーザの撮影意図に応じた撮影動作に移行することができる。
【０００６】
これに対し、撮影モードから電源が切断されるような状態では、ユーザがカメラでの撮影を終了し、その後しばらくは撮影が行われず、撮影場所の移動が行われる可能性が高いものと考えられるので、撮影により記録された画像の中にユーザの撮影意図通りのものがなかった場合には、そのまま撮影の機会が失われてしまう可能性が高い。
【０００７】
また、デジタルカメラ等では電池寿命を延ばすために場所の移動などで長時間撮影しない場合にはこまめに電源をオフする場合が多く、電源オンから電源オフまでの間に行われる複数の撮影は近い場所で行なわれていることが多い。
【０００８】
本発明は上記のような実情に鑑みてなされたもので、その目的とするところは、実際に記録された画像の内容をユーザに正しく認知させることで、撮り忘れや撮り損ね（撮ったつもりなのに記録されていない状態）を確実に防止することが可能な撮像装置、撮像方法及びプログラムを提供することにある。
【課題を解決するための手段】
【０００９】
本発明は、被写体像を撮影する撮影手段と、この撮影手段で得た画像データを記録する記録手段と、この記録手段に記録した画像データを表示する表示手段と、電源の切断を指示する指示手段と、この指示手段での指示に伴う撮影動作の終了に際し、それまでに上記記録手段に記録した画像データを上記表示手段でレビュー表示させる表示制御手段とを具備したことを特徴とする。
【発明の効果】
【００１０】
本発明によれば、撮影モードから電源切断が指示されると、その撮影モード時に記録した画像データを自動的にレビュー表示するようになるため、実際に記録された画像の内容をユーザに正しく認知させて、撮り忘れや撮り損ねを確実に防止することができる。
【発明を実施するための最良の形態】
【００１１】
（第１の実施の形態）  
以下本発明をデジタルカメラに適用した場合の第１の実施の形態について図面を参照して説明する。  
図１は、このデジタルカメラ１０全体の電子回路の概念構成を示すものである。  
図中、撮影モードでのモニタリング状態においては、モータ（Ｍ）１１の駆動により撮影レンズ光学系１２中の一部のレンズ、具体的にはズームレンズ及びフォーカスレンズの位置が適宜移動される。この撮影レンズ光学系１２の撮影光軸後方の結像位置に、図示しないメカニカルシャッタを介して、固体撮像素子であるＣＣＤ１３が配置される。
【００１２】
ＣＣＤ１３は、タイミング発生器（ＴＧ）１４、ＣＣＤドライバ１５によって走査駆動され、一定周期毎に結像した光像に対応する光電変換出力を１画面分出力する。
【００１３】
この光電変換出力は、ＡＧＣ／ＳＨ（Ａｕｔｏ  Ｇａｉｎ  Ｃｏｎｔｒｏｌ／Ｓａｍｐｌｅ  Ｈｏｌｄ）回路１６において、アナログ値の信号の状態でＲＧＢの各原色成分毎にその時点に設定されているＩＳＯ感度に応じて自動ゲイン調整された後にサンプルホールドされ、Ａ／Ｄ変換器１７に送られる。
【００１４】
Ａ／Ｄ変換器１７では、アナログの画像データをデジタルデータに変換し、カラープロセス回路１８へ出力する。
【００１５】
カラープロセス回路１８は、デジタルの画像データに対して画素補間処理及びγ補正処理を含むカラープロセス処理を行ない、マトリックス変換によりデジタル値の輝度色差系の画像データＹＵＶを生成した後にＤＭＡ（Ｄｉｒｅｃｔ  Ｍｅｍｏｒｙ  Ａｃｃｅｓｓ）コントローラ１９に出力する。
【００１６】
ＤＭＡコントローラ１９は、カラープロセス回路１８の出力する画像データＹＵＶを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００１７】
制御部２２は、ＣＰＵと、後述する撮影モードから電源オフ時での再生動作を含む動作プログラムを固定的に記憶したフラッシュメモリなどの不揮発性メモリ等により構成され、ワークメモリとして使用される主記憶メモリ２３に適宜必要なデータを一時的に展開して書込みながら、このデジタルカメラ１０全体の制御動作を司る。
【００１８】
しかして制御部２２は、上記画像データのＤＲＡＭ２１へのＤＭＡ転送終了後に、この画像データをＤＲＡＭインタフェース２０を介してＤＲＡＭ２１より読出し、表示コントローラ２４を介してＶＲＡＭ２５に書込む。
【００１９】
表示コントローラ２４は、上記画像データをＶＲＡＭ２５より定期的に読出して表示部２６に出力する。
【００２０】
この表示部２６は、デジタルカメラ１０の筐体背面に配設された例えばバックライト付きの対角３インチ程度のサイズを有するカラー液晶パネルとその駆動回路とで構成されるもので、撮影モード時には電子ファインダとして機能し、表示コントローラ２４からの画像データ等に基づいた表示を行なうことで、その時点で表示コントローラ２４から取込んでいる画像等をリアルタイムにモニタ表示する一方で、再生モード時には選択した画像等を再生表示する。
【００２１】
このように表示部２６にその時点での被写体の画像をモニタ画像としてリアルタイムに表示している、所謂スルー画像の表示状態で、静止画撮影を行ないたいタイミングでキー入力部２７の一部を構成するシャッタキーを操作すると、トリガ信号を発生する。
【００２２】
制御部２２は、このトリガ信号に応じてその時点でＣＣＤ１３から取込んでいる１画面分の輝度及び色差信号のＤＲＡＭ２１へのＤＭＡ転送を取り止め、あらためて適正な露出条件に従ったシャッタ速度で図示しないメカニカルシャッタ及び上記ＣＣＤ１３を駆動して１画面分の輝度及び色差信号を得てＤＲＡＭ２１へ転送し、その後にこの経路を停止し、記憶保存の状態に遷移する。
【００２３】
この記憶保存の状態では、制御部２２がＤＲＡＭ２１に書込まれている１フレーム分の画像データＹＵＶをＤＲＡＭインタフェース２０を介してＹ，Ｕ，Ｖの各コンポーネント毎に縦８画素×横８画素の基本ブロックと呼称される単位で読出して画像圧縮／伸長回路２８に書込み、この画像圧縮／伸長回路２８で所定の画像フォーマット、例えばＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）に従ったＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等のデータ圧縮処理により符号化する。
【００２４】
そして、得た符号データを１画像分のデータファイルとして該画像圧縮／伸長回路２８から読出し、このデジタルカメラ１０に着脱自在に装着される記録媒体であるメモリカード２９に書込む。
【００２５】
そして、１フレーム分の輝度及び色差信号の圧縮処理とメモリカード２９への全圧縮データの書込み終了に伴なって、制御部２２はＣＣＤ１３からＤＲＡＭ２１への経路を再び起動する。
【００２６】
また、上記制御部２２にはさらに、上述したキー入力部２７と、音声処理部３０、フラッシュ駆動部３１、及びＵＳＢインタフェース３２が接続されている。
【００２７】
キー入力部２７は、上記シャッタキーの他に、電源キー、ズームキー、撮影モードキー、再生モードキー、カーソルキー、セットキー、メニューキー、マクロキー、及びフラッシュキー等を有するもので、それらの操作に伴うキー入力信号は直接制御部２２へ送信される。
【００２８】
音声処理部３０は、ＰＣＭ音源等の音源回路を備え、音声の録音時にはこのデジタルカメラ１０の筐体前面に配設されたマイクロホン部３３より入力された音声信号をデジタル化し、所定のデータファイル形式、例えばＭＰ３（Ｍｏｖｉｎｇ  Ｐｉｃｔｕｒｅ  ｃｏｄｉｎｇ  Ｅｘｐｅｒｔｓ  Ｇｒｏｕｐ−１  ａｕｄｉｏ  ｌａｙｅｒ  ３）規格にしたがってデータ圧縮して音声データファイルを作成し、上記メモリカード２９へ送出する。
【００２９】
一方、音声処理部３０は、音声の再生時にメモリカード２９から読出されてきた音声データファイルの圧縮を解いてアナログ化し、上記表示部２６と同じくデジタルカメラ１０の背面側に設けられるスピーカ部３４を駆動して、拡声放音させる。
【００３０】
フラッシュ駆動部３１は、静止画像撮影時に図示しないフラッシュ駆動用の大容量コンデンサを充電した上で、制御部２２からの制御に基づいてキセノン放電管等で構成されるフラッシュ発光部３５を閃光駆動させる。
【００３１】
しかるに、撮影モード時に静止画像ではなく動画像の撮影が選択されている場合には、１回目の撮影キーが操作された時点で、上述した静止画データを取得して画像圧縮／伸長回路２７でデータ圧縮し、メモリカード２９へ記憶するという一連の動作を適宜フレームレート、例えば３０［フレーム／秒］で連続して実行するものとして開始し、該シャッタキーが２回目に操作されるか、または所定の制限時間、例えば３０秒が経過した時点でそれら一連の静止画データファイルを一括してモーションＪＰＥＧのデータファイル（ＡＶＩファイル）として設定し直す。
【００３２】
また、再生モード時には、制御部２２がメモリカード２９に記憶されている画像データを選択的に読出し、画像圧縮／伸長回路２８で撮影モード時にデータ圧縮した手順と全く逆の手順で圧縮されている画像データを伸長し、伸長した画像データをＤＲＡＭインタフェース２０を介しＤＲＡＭ２１に保持させた上で、このＤＲＡＭ２１の保持内容を表示コントローラ２４を介してＶＲＡＭ２５に記憶させ、このＶＲＡＭ２５より定期的に画像データを読出してビデオ信号を発生し、上記表示部２６で再生させる。
【００３３】
選択した画像データが静止画像ではなく動画像であった場合、選択した動画像ファイルを構成する個々の静止画データの再生を所定のフレームレートで時間的に連続して実行し、最後の静止画データの再生を終了した時点で、次に再生の指示がなされるまで先頭に位置する静止画データのみを用いて再生表示する。
【００３４】
ＵＳＢインタフェース３２は、ＵＳＢ（Ｕｎｉｖｅｒｓａｌ  Ｓｅｒｉａｌ  Ｂｕｓ）規格に準じてＵＳＢ端子３６に接続されるパーソナルコンピュータやプリンタ装置等、各種外部機器との送受信を行なう。
【００３５】
次に上記実施の形態の動作について説明する。  
図２は、電源オフ時から撮影モード時の動作時の処理内容を示すもので、その動作制御はすべて制御部２２が予め記憶されている動作プログラムを主記憶メモリ２３に展開して実行する。
【００３６】
その処理当初には、電源オフ状態で、キー入力部２７の電源キーまたは撮影モードキーの操作により撮影モードで電源をオンさせるための操作がなされるのを待機する（ステップＡ０１）。
【００３７】
しかして、当該電源オン操作がなされるとステップ０１でこれを判断し、撮影レンズ光学系１２の繰り出しやＣＣＤ１３での撮像に伴う表示部２６でのスルー画像表示など、撮影モードでの必要に応じた電源立上げ処理を実行する（ステップＡ０２）。
【００３８】
この電源立上げ処理に際しては、後述する撮影リストも初期設定として全クリアする処理を含む。
【００３９】
上記電源立上げ処理を完了後、直ちに撮影モード時の動作に移行し、以後、図示しないスルー画像表示の動作を実行しながら、電源キーの操作により電源オフが指示されるか否か（ステップＡ０３）、シャッタキーの操作により撮影が指示されたか否か（ステップＡ０４）を繰返し判断することで、これらのキー操作がなされるのを待機する。
【００４０】
シャッタキー操作により撮影の指示がなされた場合、これを上記ステップＡ０４で判断して、その時点に設定されている撮影条件にしたがった撮影とそれに伴う画像データの圧縮、及びメモリカード２９への記録を行なう（ステップＡ０５）。
【００４１】
これと共に、例えばメモリカード２９に記録した画像データファイルのファイル名（ファイル形式を含む）とそのタイムスタンプとを撮影の履歴情報である撮影リストとして主記憶メモリ２３に追加設定し（ステップＡ０６）、その後に再び上記ステップＡ０３からの待機動作に戻る。
【００４２】
上記のように必要に応じて撮影動作を実行した後、電源キーの操作により電源オフを指示すると、上記ステップＡ０３でこれを判断し、その時点で主記憶メモリ２３に記憶している撮影履歴情報としての撮影リストを参照する（ステップＡ０７）。
【００４３】
その上で、直前のステップＡ０１で電源オン操作がなされたと判断してから直前のステップＡ０３で電源オフが示すが操作されたと判断するまでの今回の撮影モード時の動作中で、撮影により記録した画像があるか否かを撮影リストの有無により判断する（ステップＡ０８）。
【００４４】
ここで、撮影リストがあり、今回の撮影モード動作中に撮影画像をメモリカード２９に記録したと判断した場合には、撮影リストにしたがってメモリカード２９から適宜画像データを読出して表示部２６で再生表示させる（ステップＡ０９）。
【００４５】
この場合のレビュー表示のさせ方としては、例えば今回の撮影により記録した画像を１枚ずつ撮影時刻の順序で一定時間、例えば５［秒］ずつ所謂スライドショー形式と呼ばれる自動切換表示させる方法や、同じく今回の撮影により記録した画像を１枚ずつ撮影時刻の順序で表示させ、合わせて画像の左右に矢印を表示させることでユーザのカーソルキー操作を促し、カーソルキーが操作されるとその方向に応じて画像を切換える方法、あるいは複数の画像のサムネイル画像を用いて表示部２６の画面を例えば縦４×横４の計１６画面に分割して一覧表示させる方法、などが考えられ、これらの表示方法に関しても事前にユーザが任意に選択設定できるものとしてもよい。
【００４６】
しかして、その時点での表示形式により一通りのレビュー表示が終わったと判断するか、あるいはユーザにより強制的にレビュー表示を終わらせるキー操作がなされた時点で、今回の撮影により記録した画像の確認を終えたものとして、上記電源オフ指示に応じた処理、例えば撮影レンズ光学系１２が沈胴式のレンズ群を有するものであればカメラボディ内への沈胴、撮影系乃至スルー画像の表示径に係る一切の動作の停止等を含む電源オフ処理を実行した上で（ステップＡ１０）、再び電源がオンされるのを待機するべく上記ステップＡ０１からの処理に戻る。
【００４７】
また、上記ステップＡ０９での撮影画像のレビュー表示に際しては、単に撮影した画像を確認するべく表示部２６で表示するのみならず、ユーザが撮り忘れを認識した場合に備えて即時撮影モードに復帰するためのキー操作を促すような表示を合わせて行なうものとしてもよい。
【００４８】
さらに、上記ステップＡ０８で今回の撮影モード時に撮影した画像がなく、撮影リストが存在しないと判断した場合には、そのまま電源オフの指示通りに直接ステップＡ１０に進み、電源オフ処理を実行する。
【００４９】
加えて、このステップＡ０８で撮影リストが存在しないと判断した場合には、例えば  
「今回撮影により記録した画像はありません」  
のような文字列によるガイドメッセージを表示部２６で一定時間表示した後にステップＡ１０で電源オフ処理を実行するものとしてもよい。
【００５０】
また、撮影リストを初期設定する処理は、電源オン操作が行なわれた時だけに行なったが、電源オンしたままの状態で撮影モードから再生モードへ、または再生モードから撮影モードへと切り替えられた場合にも撮影リストの初期設定を行なうようにしてもよい。
【００５１】
また、すでにユーザが確認済みの画像データには撮影リスト上にフラグを設けておき、電源オフ時の確認画像から除外するようにしてもよい。
【００５２】
このように、撮影モードから電源オフが指示されると、その撮影モード時に記録した画像データを自動的にレビュー表示するようになるため、実際に記録された画像の内容をユーザに正しく認知させて、ユーザ（撮影者）の撮り忘れや撮り損ねを確実に防止することができる。
【００５３】
加えて、撮影を開始してから終了が指示されるまでの、今回の電源がオンされていた期間に対応して、撮影モード時の撮影履歴情報として撮影リストを作成し、その撮影リストに対応した画像データのみを確認のためにレビュー表示するものとしたため、過去の撮影モード時に撮影した画像や、メモリカード２９の差し替え等により画像データに付加されるタイムスタンプの情報からは今回の撮影モード時に撮影したものと判断される画像データ等の、今の場所とは別の場所で撮影された可能性が高い画像データや、すでに確認済みである可能性の高い画像データを除外し、未確認であり、且つ今の場所での取り直しが容易な画像のみ、その内容を確認することができる。
【００５４】
（第２の実施の形態）  
以下本発明をデジタルカメラに適用した場合の第２の実施の形態について図面を参照して説明する。  
なお、本実施の形態に係るデジタルカメラ１０に関し、その電子回路の概念構成事態は、上記図１に示した内容と基本的に同様であるため、同一部分には同一符号を用いるものとして、その図示と説明とを省略する。
【００５５】
次に上記実施の形態の動作について説明する。  
図３は、電源オフ時から撮影モード時の動作時の処理内容を示すもので、その動作制御はすべて制御部２２が予め記憶されている動作プログラムを主記憶メモリ２３に展開して実行する。
【００５６】
その処理当初には、電源オフ状態で、キー入力部２７の電源キーまたは撮影モードキーの操作により撮影モードで電源をオンさせるための操作がなされるのを待機する（ステップＢ０１）。
【００５７】
しかして、当該電源オン操作がなされるとステップ０１でこれを判断し、撮影レンズ光学系１２の繰り出しやＣＣＤ１３での撮像に伴う表示部２６でのスルー画像表示など、撮影モードでの必要に応じた電源立上げ処理を実行する（ステップＢ０２）。
【００５８】
この電源立上げ処理に際しては、後述する撮影リストも初期設定として全クリアする処理を含む。
【００５９】
上記電源立上げ処理を完了後、直ちに撮影モード時の動作に移行し、以後、図示しないスルー画像表示の動作を実行しながら、電源キーの操作により電源オフが指示されるか否か（ステップＢ０３）、シャッタキーの操作により撮影が指示されたか否か（ステップＢ０４）を繰返し判断することで、これらのキー操作がなされるのを待機する。
【００６０】
シャッタキー操作により撮影の指示がなされた場合、これを上記ステップＢ０４で判断して、その時点に設定されている撮影条件にしたがった撮影とそれに伴う画像データの圧縮、及びメモリカード２９への記録を行なう（ステップＢ０５）。
【００６１】
これと共に、例えばメモリカード２９に記録した画像データファイルのファイル名（ファイル形式を含む）とそのタイムスタンプとを撮影の履歴情報である撮影リストとして主記憶メモリ２３に追加設定し（ステップＢ０６）、その後に再び上記ステップＢ０３からの待機動作に戻る。
【００６２】
上記のように必要に応じて撮影動作を実行した後、電源キーの操作により電源オフを指示すると、上記ステップＢ０３でこれを判断し、その時点で主記憶メモリ２３に記憶している撮影履歴情報としての撮影リストを参照する（ステップＢ０７）。
【００６３】
その上で、直前のステップＢ０１で電源オン操作がなされたと判断してから直前のステップＢ０３で電源オフが操作されたと判断するまでの今回の撮影モード時の動作中で、撮影により記録した画像があるか否かを撮影リストの有無により判断する（ステップＢ０８）。
【００６４】
ここで、撮影リストがあり、今回の撮影モード動作中に撮影画像をメモリカード２９に記録したと判断した場合には、撮影リストにしたがってメモリカード２９から適宜画像データを読出して表示部２６で再生表示させる（ステップＢ０９）。
【００６５】
図４は、この時表示部２６で表示されるレビュー画面を例示するものである。ここでは、画面全体で今回の撮影により得た画像の１つを選択して表示すると共に、画面上部に「撮影画像確認」モード表示Ｍを行なっている。加えて、その時点で表示している画像が今回の撮影モード時に撮影した全画像中の何番目に位置しているのかを画面右上部で例えば「２／５」のように分数表示Ｎにより表すと共に、選択画像の切換えを促すカーソルマークＣ１，Ｃ２を画面中央部左右両端に表示している。
【００６６】
さらに、この状態から次のモード切替を促す選択項目として「このままオフ」Ｉ１，「この画像を削除」Ｉ２、及び「撮影モードに戻る」Ｉ３と３つの項目を表示している。
【００６７】
同図では、３津の項目中の「この画像を削除」Ｉ２を仮に選択している状態を示すもので、この選択状態から例えばキー入力部２７のセットキーを操作することで、選択している項目が実行される。
【００６８】
このようなレビュー表示を行ないながら、一定時間、例えば１０［秒］以上何のキー操作もないか、または上記電源オフを指示するキー操作がなされたか否か（ステップＢ１０）、他の画像を選択するためのキー操作がなされたか否か（ステップＢ１１）を続けて判断し、そのいずれでもなければ上記ステップＢ０９でのレビュー表示を実行する、という処理を繰返し実行することで、ステップＢ１０またはＢ１１での判断がなされるのを待機する。
【００６９】
しかるに、他の画像を選択するためのキー操作がなされた場合、上記ステップＢ１２でこれを判断し、操作されたキーの方向に対応して撮影リストに従い、タイムスタンプの前後に位置する他の画像データをメモリカード２９から選択する設定を行なった上で（ステップＢ１２）、上記ステップＢ０９に進み、その選択した画像によるレビュー表示を実行する。
【００７０】
また、一定時間、例えば１０［秒］以上何のキー操作もないか、または上記電源オフを指示するキー操作がなされた場合には、上記ステップＢ１０でこれを判断し、今回の撮影により記録した画像の確認を終えたものとして、上記電源オフ指示に応じた処理、例えば撮影レンズ光学系１２が沈胴式のレンズ群を有するものであればカメラボディ内への沈胴、撮影系乃至スルー画像の表示径に係る一切の動作の停止等を含む電源オフ処理を実行した上で（ステップＢ１３）、再び電源がオンされるのを待機するべく上記ステップＢ０１からの処理に戻る。
【００７１】
さらに、上記ステップＢ０８で今回の撮影モード時に撮影した画像がなく、撮影リストが存在しないと判断した場合には、そのまま電源オフの指示通りに直接ステップＢ１０に進み、電源オフ処理を実行する。
【００７２】
加えて、このステップＢ０８で撮影リストが存在しないと判断した場合には、例えば  
「今回撮影により記録した画像はありません」  
のような文字列によるガイドメッセージを表示部２６で一定時間表示した後にステップＢ１０で電源オフ処理を実行するものとしてもよい。
【００７３】
このように、上記第１の実施の形態の効果に加えて、今回の撮影モード時に撮影した画像の内容を表示している状態で画像の選択を含む操作がない状態が一定時間経過した場合には、撮影した画像の確認を終えたものと判断してレビュー表示を停止し、ユーザにさらなるキー操作を行わせることなく、電源オフ指示の通り撮影動作を終了させることができる。
【００７４】
（第３の実施の形態）  
以下本発明をデジタルカメラに適用した場合の第３の実施の形態について図面を参照して説明する。  
なお、本実施の形態に係るデジタルカメラ１０に関し、その電子回路の概念構成事態は、上記図１に示した内容と基本的に同様であるため、同一部分には同一符号を用いるものとして、その図示と説明とを省略する。
【００７５】
次に上記実施の形態の動作について説明する。  
図５は、電源オフ時から撮影モード時の動作時の処理内容を示すもので、その動作制御はすべて制御部２２が予め記憶されている動作プログラムを主記憶メモリ２３に展開して実行する。
【００７６】
その処理当初には、電源オフ状態で、キー入力部２７の電源キーまたは撮影モードキーの操作により撮影モードで電源をオンさせるための操作がなされるのを待機する（ステップＣ０１）。
【００７７】
しかして、当該電源オン操作がなされるとステップ０１でこれを判断し、撮影レンズ光学系１２の繰り出しやＣＣＤ１３での撮像に伴う表示部２６でのスルー画像表示など、撮影モードでの必要に応じた電源立上げ処理を実行する（ステップＣ０２）。
【００７８】
この電源立上げ処理に際しては、後述する撮影リストも初期設定として全クリアする処理を含む。
【００７９】
上記電源立上げ処理を完了後、直ちに撮影モード時の動作に移行し、以後、図示しないスルー画像表示の動作を実行しながら、電源キーの操作により電源オフが指示されるか否か（ステップＣ０３）、シャッタキーの操作により撮影が指示されたか否か（ステップＣ０４）を繰返し判断することで、これらのキー操作がなされるのを待機する。
【００８０】
シャッタキー操作により撮影の指示がなされた場合、これを上記ステップＣ０４で判断して、その時点で設定されている撮影条件とその時点での露光条件を比較し、撮影条件が成立するか否かにより撮影を実行することができるか否かを判断する（ステップＣ０５）。
【００８１】
ここで、撮影条件が成立し、撮影条件通りの撮影を実行することができると判断した場合には、そのまま設定されている撮影条件にしたがった撮影を行ない、取得した画像データに対する圧縮、及びメモリカード２９への記録を行なう（ステップＣ０６）。
【００８２】
これと共に、例えばメモリカード２９に記録した画像データファイルのファイル名（ファイル形式を含む）とそのタイムスタンプとを撮影の履歴情報である撮影リストとして主記憶メモリ２３に追加設定し（ステップＣ０７）、その後にシャッタキーの操作回数をカウントする主記憶メモリ２３内のカウント値を「＋１」更新設定した上で（ステップＣ０８）、再び上記ステップＣ０３からの待機動作に戻る。
【００８３】
また、上記ステップＣ０５で設定した撮影条件が成立せず、撮影条件通りの撮影を実行することができないと判断した場合、例えばフラッシュが強制発光禁止モードとなっていながら、露出不足で必要な露光量が得られない場合や、マクロモードが設定されていながら所定の近距離範囲内に合焦できる被写体像がない場合などでは、上記ステップＣ０６，Ｃ０７での撮影の実行と撮影リストの追加に係る処理は行なわず、上記ステップＣ０８でシャッタキーの操作回数のカウントアップのみを行なってから、再び上記ステップＣ０３からの待機動作に戻る。
【００８４】
上記のように必要に応じて設定した撮影条件が成立した状態では撮影動作を実行した後、電源キーの操作により電源オフを指示すると、上記ステップＣ０３でこれを判断し、その時点で主記憶メモリ２３に記憶している撮影履歴情報としての撮影リストの画像データ数とシャッタキーの操作回数のカウント値とを読出して比較し（ステップＣ０９）、両数値が異なるかどうかにより、シャッタキーを操作しながらも設定した撮影条件が成立せずに撮影を行なうことができなかったケースがあるか否かを判断する（ステップＣ１０）。
【００８５】
ここで、撮影リストで示される画像データ数とシャッタキーの操作回数とが一致し、シャッタキーを操作しながらも設定した撮影条件が成立せずに撮影を行なうことができなかったケースはなかったと判断した場合には、ユーザが考慮すべき撮り損ねはなかったものと判断して、そのまま上記電源オフ指示に応じた処理、例えば撮影レンズ光学系１２が沈胴式のレンズ群を有するものであればカメラボディ内への沈胴、撮影系乃至スルー画像の表示径に係る一切の動作の停止等を含む電源オフ処理を実行した上で（ステップＣ１４）、再び電源がオンされるのを待機するべく上記ステップＣ０１からの処理に戻る。
【００８６】
また、ステップＣ１０で撮影リストで示される画像データ数とシャッタキーの操作回数とが異なり、シャッタキーを操作しながらも設定した撮影条件が成立せずに撮影を行なうことができなかったケースがあったと判断した場合には、取り損ねた画像の内容の確認をユーザに促すべく、直前のステップＣ０１で電源オン操作がなされたと判断してから直前のステップＣ０３で電源オフが示すが操作されたと判断するまでの今回の撮影モード時の動作中で取得した撮影画像を撮影リストにしたがってメモリカード２９から適宜画像データを読出し、レビュー表示として表示部２６で再生表示させると共に、その表示部２６画面上で撮り損ねた画像があることを、例えば  
「シャッタを押しても撮影できなかった画像があります」  
のような文字列によるガイドメッセージにより警告表示する（ステップＣ１１）。
【００８７】
その後、この警告表示により撮影モードに戻るためのキー操作がなされたか否かを判断する（ステップＣ１２）。
【００８８】
ここで、撮影モードに戻るためのキー操作がなされた場合には、主記憶メモリ２３内の撮影リストとシャッタキーの操作回数をカウントするカウンタの値を共にクリア設定した上で（ステップＣ１３）、再び上記ステップＣ０３からの処理に戻り、撮影モードでの動作を続行する。
【００８９】
一方、レビュー表示により内容を確認した上でユーザが納得した場合など、撮影モードに戻るためのキー操作が一定時間なされなかった場合、あるいはさらに電源をオフするためのキー選択操作がなされた場合には、上記ステップＣ１２でこれを判断した上で、そのまま上記電源オフ指示に応じた処理、例えば撮影レンズ光学系１２が沈胴式のレンズ群を有するものであればカメラボディ内への沈胴、撮影系乃至スルー画像の表示径に係る一切の動作の停止等を含む電源オフ処理を実行した上で（ステップＣ１４）、再び電源がオンされるのを待機するべく上記ステップＣ０１からの処理に戻る。
【００９０】
このように、上記第１の実施の形態の効果に加えて、シャッタキーを操作した回数と実際に画像を撮影して記録した数とを比較し、それらの数値が一致しなかった場合には、シャッタキーを操作しながらも記録することができなかった画像があることをレビュー画像に重ねて警告表示するため、ユーザに対して確実に撮り損ねた画像の再度の撮影を促すことができる。
【００９１】
また、上記第１，第２の実施の形態とは異なり、数値が一致していた場合には確認を行なわずに済むので、単なるユーザの取り忘れではない撮り損ね（撮ったつもりであるのに記録されていない状態）だけを効率よく防止することができる。
【００９２】
なお、上記第３の実施の形態では、撮影条件が成立しなかった場合に撮影を行なわないようにして撮影指示の回数と記録枚数の違いを判定したが、撮影条件が成立しなかった場合にも撮影記録を行ない、この場合の撮影画像には撮影条件が成立しない状態で撮影したことを示すフラグを付けて記録しておき、電源オフ時にはこのフラグのついている画像データのみ表示確認するようにしてもよい。
【００９３】
また、上記第１乃至第３の実施の形態は、いずれも本発明をデジタルカメラに適用した場合について例示したものであるが、本発明はこれに限らず、カメラ機能を有する、携帯電話機やＰＤＡ（Ｐｅｒｓｏｎａｌ  Ｄｉｇｉｔａｌ  Ａｓｓｉｓｔａｎｔｓ：個人向け情報携帯端末）、あるいはハンドヘルドタイプのパーソナルコンピュータ等であっても同様の技術を適用することは容易である。
【００９４】
その他、本発明は上述した実施の形態に限定されるものではなく、実施段階ではその要旨を逸脱しない範囲で種々に変形することが可能である。また、上述した実施の形態で実行される機能は可能な限り適宜組合わせて実施しても良い。上述した実施の形態には種々の段階が含まれており、開示される複数の構成要件により適宜の組合せにより種々の発明が抽出され得る。例えば、実施の形態に示される全構成要件からいくつかの構成要件が削除されても、効果が得られるのであれば、この構成要件が削除された構成が発明として抽出され得る。
【図面の簡単な説明】
【００９５】
【図１】本発明の第１の実施の形態に係るデジタルカメラの機能回路構成を示すブロック図。
【図２】同実施の形態に係る撮影モード時の動作の処理内容を示すフローチャート。
【図３】本発明の第２の実施の形態に係る撮影モード時の動作の処理内容を示すフローチャート。
【図４】同実施の形態に係る電源オフ操作時に一時的に表示される画面を例示する図。
【図５】本発明の第３の実施の形態に係る撮影モード時の動作の処理内容を示すフローチャート。
【符号の説明】
【００９６】
１０…デジタルカメラ、１１…モータ（Ｍ）、１２…撮影レンズ光学系、１３…ＣＣＤ、１４…タイミング発生器（ＴＧ）、１５…ＣＣＤドライバ、１６…ＡＧＣ／ＳＨ回路、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…主記憶メモリ、２４…表示コントローラ、２５…ＶＲＡＭ、２６…表示部、２７…キー入力部、２８…画像圧縮／伸長回路、２９…メモリカード、３０…音声処理部、３１…フラッシュ駆動部、３２…ＵＳＢインタフェース（Ｉ／Ｆ）、３３…マイクロホン部、３４…スピーカ部、３５…フラッシュ発光部、３６…ＵＳＢ端子。
【図１】
2008092223.tif 000003
【図２】
2008092223.tif 000004
【図３】
2008092223.tif 000005
【図４】
2008092223.tif 000006
【図５】
2008092223.tif 000007